(57)【要約】【課題】簡素な構成で様々な大きさのパーマネント用ペーパーに対応することができ、量産性、汎用性に優れ、パーマネント用ペーパーの取り出しや補充が容易で、パーマネント用ペーパーの収納性、取扱い性に優れ、パーマネントウェーブの施術の作業性に優れたペーパー収納具の提供。【解決手段】ペーパー取出口を有するケース本体と、ケース本体の内部に配設されケース本体に収納されるパーマネント用ペーパーの上面又は背面を押圧するペーパー押さえ部と、を備えている。【選択図】図１
0003169686.tif 000002
【実用新案登録請求の範囲】
【請求項１】
パーマネントウェーブの施術に用いられるパーマネント用ペーパーが収納されるペーパー収納具であって、
ペーパー取出口を有するケース本体と、前記ケース本体の内部に配設され前記ケース本体に収納される前記パーマネント用ペーパーの上面又は背面を押圧するペーパー押さえ部と、を備えることを特徴とするペーパー収納具。
【請求項２】
前記パーマネント用ペーパーが載置されるペーパー載置部と、前記ペーパー載置部に形成又は配設されるペーパー支持部と、を有し、前記ケース本体に着脱自在又は収脱自在に収納されるペーパー保持体を備えることを特徴とする請求項１に記載のペーパー収納具。
【請求項３】
前記ペーパー押さえ部が、前記ペーパー保持体の前記ペーパー載置部に形設されることを特徴とする請求項２に記載のペーパー収納具。
【請求項４】
前記ペーパー保持体が、前記ケース本体に摺動自在に保持されることを特徴とする請求項２又は３に記載のペーパー収納具。
【請求項５】
前記ペーパー保持体の前記ペーパー支持部が、前記ペーパー載置部に摺動自在に保持されることを特徴とする請求項２又は３に記載のペーパー収納具。
【請求項６】
可撓性を有し前記ケース本体に配設される可撓部と、前記可撓部の先端部に形成又は配設され前記パーマネント用ペーパーの表面に当接した時に前記パーマネント用ペーパー同士の摩擦力より大きな摩擦力が発生する当接部と、を有するペーパー繰り出し具を備えたことを特徴とする請求項１乃至５の内いずれか１項に記載のペーパー収納具。
【考案の詳細な説明】
【技術分野】
【０００１】
本考案は、パーマネントウェーブを施す際に用いられるパーマネント用ペーパーを収納することができると共に、簡便に取り出すことができ、施術作業性を向上させることが可能なペーパー収納具に関するものである。
【背景技術】
【０００２】
パーマネントウェーブの施術においては、片方の手で一巻き程度の一定量の髪束をコームでスライスして分け取り、これにパーマネント用ペーパーをあてがうと共に、ロッドに巻きつけて、輪ゴム等のパーマネント用ゴムをロッドの左右にかけて係止させることにより、所要時間経過後にウェーブのかかった髪が得られるようになっている。
これらの作業を効率的に行うために、例えば（特許文献１）には、和紙タイプのペーパーを大小２種類収納できる収納用具の側面にワィンディング用ゴムを収納するためのゴムホルダープレートを簡単に着脱できるようにし、本体にベルトをつけ左右どちらの腕にも着脱できるようにしたコールドパーマ用ペーパーケースとワインディング用ゴムホルダープレートが開示されている。
【先行技術文献】
【特許文献】
【０００３】
【特許文献１】特開２００６−２８０５２５号公報
【考案の開示】
【考案が解決しようとする課題】
【０００４】
しかしながら、上記従来の技術においては、以下のような課題を有していた。
（１）（特許文献１）では、大きさの異なる２種類の和紙タイプペーパーを収納することができますが、複数の和紙タイプペーパーを輪ゴムなどの弾性体で束ねて固定するだけなので、ペーパーを１枚ずつ取り出すことが困難で、使用性に欠けるという課題を有していた。
（２）また、ペーパーの外周が弾性体で押さえられているため、ペーパーを引き抜く際に、ペーパーが破れてしまうおそれがあり、ペーパーを無駄に消費してしまい、省資源性に欠けるという課題を有していた。
（３）複数の和紙タイプペーパーを輪ゴムなどの弾性体で束ねているので、ペーパーの量が少なくなるにつれ、弾性体による固定が弱くなり、ペーパーが抜け落ちやすくなって、固定安定性に欠けるという課題を有していた。
（４）同時に収納される大きさの異なる２種類の和紙タイプペーパーが、重なるように弾性体で束ねられて固定されているので、補充作業が困難であり、特に下側に収納される大きなペーパーのみを補充する場合でも、一旦、上側の小さなペーパーを取り出さなければならず、作業が煩雑で取扱い性に欠けるという課題を有していた。
【０００５】
本考案は上記課題を解決するもので、簡単な構成で様々な大きさのパーマネント用ペーパーに対応することができ、量産性、汎用性に優れ、パーマネント用ペーパーの取り出しや補充が容易で、パーマネント用ペーパーの収納性、取扱い性に優れ、パーマネントウェーブの施術の作業性に優れたペーパー収納具の提供を目的とする。
【課題を解決するための手段】
【０００６】
上記課題を解決するために本考案のペーパー収納具は、以下の構成を有している。
本考案の請求項１に記載のペーパー収納具は、パーマネントウェーブの施術に用いられるパーマネント用ペーパーが収納されるペーパー収納具であって、ペーパー取出口を有するケース本体と、前記ケース本体の内部に配設され前記ケース本体に収納される前記パーマネント用ペーパーの上面又は背面を押圧するペーパー押さえ部と、を備えた構成を有している。
この構成により、以下のような作用を有する。
（１）ペーパー取出口を有するケース本体と、ケース本体の内部に配設されケース本体に収納されるパーマネント用ペーパーの上面又は背面を押圧するペーパー押さえ部を有することにより、ペーパー押さえ部によってケース本体の内部にパーマネント用ペーパーを確実に保持することができるので、パーマネント用ペーパーの落下を防止することができ、使用性に優れる。
（２）ケース本体の内部に配設されるペーパー押さえ部により、ケース本体に収納されるパーマネント用ペーパーの上面又は背面を押圧することができるので、ケース本体の内部に積み重ねて収納される複数のパーマネント用ペーパーをケース本体内部の上面側又は背面側に押し付けた状態で、上から順に１枚ずつ取り出すことができ、パーマネント用ペーパーを無駄にすることがなく、作業性、省資源性に優れる。
（３）ペーパー押さえ部でパーマネント用ペーパーの上面又は背面を押圧することにより、パーマネント用ペーパーの上端（先端）側を摘んでペーパー取出口から上方に引っ張った時に、パーマネント用ペーパーにダメージを与えることなく、容易に抜き取ることができ、パーマネント用ペーパーの破損が発生し難く、取扱い性に優れる。
（４）パーマネント用ペーパーの上面又は背面がペーパー押さえ部で押圧されているので、一枚目（一番上）のパーマネント用ペーパーを抜き取った時に、パーマネント用ペーパー同士の摩擦で二枚目のパーマネント用ペーパーが自動的にペーパー取出口側にせり上がり、その上端側がペーパー取出口から突出するので、パーマネント用ペーパーを簡便かつ確実に一枚ずつ引き抜いて使用することができ、作業性に優れる。
【０００７】
ここで、ペーパー収納具のケース本体の材質は、紙、布、合成樹脂、金属等の中から、適宜、選択することができる。ケース本体は、紙、合成樹脂、金属などで箱状に形成してもよいし、布で袋状に形成してもよい。
ケース本体の大きさは、使用するパーマネント用ペーパーの大きさに応じて、適宜、選択することができる。ケース本体の底面（パーマネント用ペーパーの載置面）が、パーマネント用ペーパーとほぼ同程度か、パーマネント用ペーパーよりやや大きめの平板状に形成されたものを用いることにより、パーマネント用ペーパーのほぼ全面を支持することができ、パーマネント用ペーパーが湾曲したり、折れ曲がったりすることを防止でき、パーマネント用ペーパーの取扱い性に優れる。使用するパーマネント用ペーパーの大きさに対応させて、大きさの異なる複数のケース本体を用意してもよいし、使用するパーマネント用ペーパーの中で最も大きなパーマネント用ペーパーと同等以上の大きさのケース本体を用意して、小さなパーマネント用ペーパーにも対応（兼用）できるようにしてもよい。
【０００８】
ケース本体のペーパー取出口は、パーマネント用ペーパーの補充や取り出しができるものであればよく、その形状は、適宜、選択することができるが、ケース本体の上面（パーマネント用ペーパーの載置面と対向する面）を大きく開口したものは、パーマネント用ペーパーの補充や取り出しが容易で使用性に優れる。尚、ケース本体に開閉部を設ければ、ペーパー取出口は小さくてもよい。開閉部は、ケース本体に摺動自在に保持することや回動自在に保持することなどができる。ケース本体を布で形成する場合は、面ファスナ、ボタン、ファスナなどで開閉部を開閉することができる。
ペーパー押さえ部は、ケース本体に収容されるパーマネント用ペーパーを表面（上面）又は背面（裏面）から押さえることができればよいが、ケース本体の底面又は上面との間でパーマネント用ペーパーを挟持するものが好適に用いられる。
また、ペーパー押さえ部は、バネ性を有することが好ましく、金属線や板バネなどを湾曲又は折曲させ、膨出面がパーマネント用ペーパーに当接するように形成したものが好適に用いられる。尚、ケース本体が合成樹脂製や金属製の場合は、ペーパー押さえ部をケース本体と一体に形成することもできる。ペーパー押さえ部をケース本体の背面側に配設する場合は、一番上（一枚目）のパーマネント用ペーパーの上面が、ケース本体内部の上面に押し付けられるので、パーマネント用ペーパーを抜き取り易くするために、ケース本体内部の上面に凹凸を設けるなどして接触抵抗を減らすことが好ましい。尚、ケース本体の背面側に配設するペーパー押さえ部としては、板バネ状のものでもよいが、板材をコイルバネなどで上方に付勢するものが好ましい。
【０００９】
ケース本体には、パーマネントウェーブの施術時にパーマネント用ペーパーと共に用いられる輪ゴムなどのパーマネント用ゴムを着脱自在に保持するためのゴム保持部を形設することが好ましい。ゴム保持部は、パーマネント用ゴムを引っ掛けるようにして保持できる掛止部を有するものであればよく、ケース本体の表面部や側面部に棒材や板材などで突起状やフック状などに形成することができる。ゴム保持部が複数の掛止部を有することにより、大きさの異なるパーマネント用ゴムを各々の掛止部に仕分けて保持することができ、使用性に優れる。尚、ゴム保持部は、２本の掛止部を一対として使用することにより、パーマネント用ゴムを伸張させた状態で掛け渡して止めることができ、パーマネント用ゴムがゴム保持部（掛止部）から落下することがなく、パーマネント用ゴムの保持安定性に優れる。各々の掛止部は幅を持たせて形成すると、パーマネント用ゴムを輪状に広げて掛止めでき、作業時に取り易い。また、３本以上の掛止部を設けておき、パーマネント用ゴムの大きさに応じて、２本の掛止部を選択して使用するようにしてもよいし、２本の掛止部を間隔調整自在に配設し、パーマネント用ゴムの大きさに応じて、２本の掛止部の水平方向距離を調整するようにしてもよい。
【００１０】
請求項２に記載の考案は、請求項１に記載のペーパー収納具であって、前記パーマネント用ペーパーが載置されるペーパー載置部と、前記ペーパー載置部に形成又は配設されるペーパー支持部と、を有し、前記ケース本体に着脱自在又は収脱自在に収納されるペーパー保持体を備えた構成を有している。
この構成により、請求項１の作用に加え、以下のような作用を有する。
（１）パーマネント用ペーパーが載置されるペーパー載置部と、ペーパー載置部に形成又は配設されるペーパー支持部と、を有し、ケース本体に着脱自在等に収納されるペーパー保持体を備えているので、ペーパー保持体にパーマネント用ペーパーが保持された状態でケース本体に着脱等することができ、パーマネント用ペーパーの補充や交換作業が容易で取扱い性に優れる。
【００１１】
ここで、ペーパー保持体は、紙、合成樹脂、金属等で形成することができる。
ペーパー保持体のペーパー載置部の大きさは、必ずしもケース本体の底面（ペーパー載置部の載置面）と同じである必要はなく、パーマネント用ペーパーの大きさに応じて、適宜、選択することができる。ペーパー載置部をパーマネント用ペーパーとほぼ同程度か、パーマネント用ペーパーよりやや大きめの平板状に形成することにより、パーマネント用ペーパーのほぼ全面を支持した状態でケース本体に出し入れすることができ、パーマネント用ペーパーの取扱い性に優れる。使用するパーマネント用ペーパーの大きさに対応させて、ペーパー載置部の大きさの異なる複数のペーパー保持体を用意してもよいし、使用するパーマネント用ペーパーの中で最も大きなパーマネント用ペーパーと同等以上の大きさのペーパー載置部を有するペーパー保持体を用意して、小さなパーマネント用ペーパーにも対応（兼用）できるようにしてもよい。
【００１２】
ペーパー支持部は、ペーパー保持体をケース本体に出し入れする際に、ペーパー載置部の下端部に位置するように形成又は配設することが好ましい。ペーパー載置部をスライドさせるようにしてペーパー保持体をケース本体に出し入れする際に、ペーパー載置部に載置されたパーマネント用ペーパーの下端（下辺）をペーパー支持部で支持することができ、ペーパー保持体と共に確実にパーマネント用ペーパーの出し入れを行うことができるためである。
ペーパー支持部は、ペーパー載置部と一体に形成してもよいし、別部材で形成したものを接着や溶着で取り付けてもよい。ペーパー載置部の下端側をレの字型、Ｌ字型、コの字型などに折り曲げて、ペーパー載置部と一体にペーパー支持部を形成した場合、量産性、耐久性に優れる。また、ペーパー支持部を傾斜状に形成することにより、パーマネント用ペーパーを少しずつずらして支持することができ、パーマネント用ペーパーの先端部を摘み易く、パーマネント用ペーパーの取り出し作業性に優れる。
【００１３】
請求項３に記載の考案は、請求項２に記載のペーパー収納具であって、前記ペーパー押さえ部が、前記ペーパー保持体の前記ペーパー載置部に形設される構成を有している。
この構成により、請求項２の作用に加え、以下のような作用を有する。
（１）ペーパー押さえ部が、ペーパー保持体のペーパー載置部に形設されるので、ペーパー保持体によってパーマネント用ペーパーを簡便かつ確実に保持することができ、ペーパー保持体をケース本体に着脱する際に、パーマネント用ペーパーが落下するおそれがなく、使用性に優れる。
ここで、ペーパー押さえ部は、前述した通りであるが、ケース本体が合成樹脂製や金属製の場合は、ペーパー押さえ部をペーパー載置部と一体に形成することもできる。
【００１４】
請求項４に記載の考案は、請求項２又は３に記載のペーパー収納具であって、前記ペーパー保持体が、前記ケース本体に摺動自在に保持される構成を有している。
この構成により、請求項２又は３の作用に加え、以下のような作用を有する。
（１）ペーパー保持体が、ケース本体に摺動自在に保持されるので、収納するパーマネント用ペーパーの大きさ（長さ）に応じて、ペーパー保持体の位置を調整することにより、パーマネント用ペーパーの先端側をケース本体のペーパー取出口の位置に合わせることができ、パーマネント用ペーパーの大きさ（長さ）に関わらず、その先端を簡便かつ確実に摘んで取り出すことができ、汎用性、取扱い性に優れる。
【００１５】
ここで、ペーパー保持体とケース本体は、互いに係合或いは嵌合して位置決め固定できる少なくとも一対の位置決め部を有することが好ましい。位置決め部としては、ペーパー保持体又はケース本体のいずれか一方に、係止爪や嵌合突起などの突起部を形設し、他方に突起部が係合或いは嵌合される切り欠き、溝、凹部、孔部などを形設したものが好適に用いられる。
ペーパー保持体が、位置決め部として、ペーパー載置部の背面部に形成されてケース本体の背面（底面）板又は側板の上縁に係合する突起部を有する場合、ペーパー載置部の上端側をケース本体のペーパー取出口から突出させた状態でペーパー保持体を固定して、パーマネント用ペーパーを容易に取り出すことができ、作業性に優れる。また、ケース本体に、突起部と係合或いは嵌合させるための凹部や孔部を形成する必要がなく、加工を簡素化することができ、量産性に優れる。
尚、突起部の形状、数、配置などは、適宜、選択することができる。ペーパー載置部の長手方向に複数の突起部を配置した場合は、パーマネント用ペーパーの大きさ（長さ）に応じて突起部を選択し、ペーパー取出口からのペーパー載置部の突出量を調整することができ、１つのペーパー保持体で大きさ（長さ）の異なるパーマネント用ペーパーに対応することが可能で、汎用性に優れる。
【００１６】
請求項５に記載の考案は、請求項２又は３に記載のペーパー収納具であって、前記ペーパー保持体の前記ペーパー支持部が、前記ペーパー載置部に摺動自在に保持される構成を有している。
この構成により、請求項２又は３の作用に加え、以下のような作用を有する。
（１）ペーパー保持体のペーパー支持部が、ペーパー載置部に摺動自在に保持されるので、収納するパーマネント用ペーパーの大きさ（長さ）に応じて、ペーパー支持部の位置のみを調整することにより、パーマネント用ペーパーの先端側をペーパー載置部の上端側へ移動させ、ケース本体のペーパー取出口の位置に対応させることができ、パーマネント用ペーパーの大きさ（長さ）に関わらず、その先端を簡便かつ確実に摘んで取り出すことができ、汎用性、取扱い性に優れる。
【００１７】
ここで、ペーパー支持部は、ペーパー載置部の長手方向（高さ方向）に摺動自在（位置調整自在）に配設されていればよい。例えば、ペーパー載置部の表面の長手方向に並設した複数の凸部又は凹部のいずれかを選択し、ペーパー支持部の根元部に形設した凹部又は凸部を着脱自在に嵌合させて固定するようにしてもよいし、ペーパー支持部をペーパー載置部の長手方向（高さ方向）に摺動自在に配設してもよい。
ペーパー支持部が、ペーパー載置部に摺動自在に外挿される挿通部を備えた構成を有している場合、ペーパー支持部とペーパー載置部の着脱作業が不要で、ペーパー支持部を摺動させるだけで、容易にパーマネント用ペーパーの位置調整を行うことができ、使用性に優れる。
【００１８】
請求項６に記載の考案は、請求項１乃至５の内いずれか１項に記載のペーパー収納具であって、可撓性を有し前記ケース本体に配設される可撓部と、前記可撓部の先端部に形成又は配設され前記パーマネント用ペーパーの表面に当接した時に前記パーマネント用ペーパー同士の摩擦力より大きな摩擦力が発生する当接部と、を有するペーパー繰り出し具を備えた構成を有している。
この構成により、請求項１乃至６の内いずれか１項の作用に加え、以下のような作用を有する。
（１）可撓性を有しケース本体に配設される可撓部と、可撓部の先端部に形成又は配設されパーマネント用ペーパーの表面に当接した時にパーマネント用ペーパー同士の摩擦力より大きな摩擦力が発生する当接部と、を有するペーパー繰り出し具を備えているので、可撓部を指などで湾曲させるようにして、当接部をパーマネント用ペーパーの表面に押し付けながら、ペーパー取出口側に移動させることにより、一枚目（一番上）のパーマネント用ペーパーをペーパー取出口側にスライドさせることができ、ペーパー取出口から突出するパーマネント用ペーパーの先端部を確実に指で摘んで抜き取ることができ、作業効率性に優れる。
（２）ペーパー繰り出し具が可撓部を有することにより、一枚目（一番上）のパーマネント用ペーパーをペーパー取出口側にスライドさせて抜き取った後は、その可撓性により自動的に元の位置に復帰するので、繰り返し一枚目（一番上）のパーマネント用ペーパーをペーパー取出口側に繰り出すことができ、動作の確実性、取扱い性に優れる。
【００１９】
ここで、可撓部は、使用者が指などで押さえるなどして外力を加えた時だけ、湾曲するなどして変形し、外力を加えるのを止めた時に元の状態に戻る程度の可撓性を有するものが好ましい。可撓部は棒状でも中空のパイプ状でもよいが、材質としては、シリコンや塩化ビニルなどの合成樹脂が好適に用いられる。特に、シリコン製や塩化ビニル製、ＥＶＡ製等の柔軟性を有するチューブは加工も容易で量産性に優れる。
当接部は、可撓部の先端部に直接加工を施して形成してもよいし、摩擦が大きくなるように可撓部の先端部に合成ゴムなどを貼着したり、巻き付けたりしてもよい。また、可撓部を湾曲させて先端部をパーマネント用ペーパーの表面に当接させた時に、当接部の表面がパーマネント用ペーパーの表面と略平行になるように可撓部の先端部を傾斜状に切断して当接部を形成した場合、当接部の接触面積を拡大して摩擦を大きくすることができ、パーマネント用ペーパー繰り出し動作の確実性に優れる。また、可撓部の先端部に、当接部として、粘着性を有するブチルゴムやエラストマー樹脂などを配設して、パーマネント用ペーパーを取り出し易くすることもできる。
尚、当接部を着脱自在にしておけば、当接部が摩耗したり、当接部の粘着性が低下したりした時に、当接部のみを交換することができ、省資源性に優れる。
【考案の効果】
【００２０】
本考案のペーパー収納具によれば、以下のような有利な効果が得られる。
請求項１に記載の考案によれば、以下のような効果を有する。
（１）ペーパー押さえ部によってケース本体の内部にパーマネント用ペーパーを確実に保持することができ、パーマネント用ペーパーの落下を防止することができる使用性に優れたペーパー収納具を提供することができる。
【００２１】
請求項２に記載の考案によれば、請求項１の効果に加え、以下のような効果を有する。
（１）ペーパー保持体にパーマネント用ペーパーが保持された状態でケース本体に着脱することができ、パーマネント用ペーパーの補充や交換作業が容易で取扱い性に優れたペーパー収納具を提供することができる。
【００２２】
請求項３に記載の考案によれば、請求項２の効果に加え、以下のような効果を有する。
（１）ペーパー保持体によってパーマネント用ペーパーを簡便かつ確実に保持することができ、ペーパー保持体をケース本体に着脱する際に、パーマネント用ペーパーが落下するおそれのない使用性に優れたペーパー収納具を提供することができる。
【００２３】
請求項４に記載の考案によれば、請求項２又は３の効果に加え、以下のような効果を有する。
（１）パーマネント用ペーパーの先端側をケース本体のペーパー取出口の位置に合わせることができ、パーマネント用ペーパーの大きさ（長さ）に関わらず、その先端を簡便かつ確実に摘んで取り出すことができる汎用性、取扱い性に優れたペーパー収納具を提供することができる。
【００２４】
請求項５に記載の考案によれば、請求項２又は３の効果に加え、以下のような効果を有する。
（１）収納するパーマネント用ペーパーの大きさ（長さ）に応じてペーパー支持部の位置を調整するだけで、パーマネント用ペーパーの先端側をペーパー載置部の上端側へ移動させることができ、パーマネント用ペーパーの先端を簡便かつ確実に摘んでケース本体のペーパー取出口から取り出すことができる汎用性、取扱い性に優れたペーパー収納具を提供することができる。
【００２５】
請求項６に記載の考案によれば、請求項５の効果に加え、以下のような効果を有する。
（１）ペーパー支持部とペーパー載置部の着脱作業を行うことなく、ペーパー支持部を摺動させるだけで、容易にパーマネント用ペーパーの位置調整を行うことができる使用性に優れたペーパー収納具を提供することができる。
【００２６】
請求項７に記載の考案によれば、請求項１乃至６の内いずれか１項の効果に加え、以下のような効果を有する。
（１）当接部をパーマネント用ペーパーの表面に押し付けながら、ペーパー取出口側に移動させるだけで、一枚目（一番上）のパーマネント用ペーパーをペーパー取出口側にスライドさせることができ、ペーパー取出口から突出するパーマネント用ペーパーの先端部を確実に指で摘んで抜き取ることができる作業効率性に優れたペーパー収納具を提供することができる。
【図面の簡単な説明】
【００２７】
【図１】実施の形態１のペーパー収納具の分解模式斜視図
【図２】実施の形態１のペーパー収納具の組立状態を示す背面側模式斜視図
【図３】実施の形態１のペーパー収納具の使用状態を示す模式斜視図
【図４】実施の形態２のペーパー収納具におけるペーパー保持体の分解模式斜視図
【図５】（ａ）実施の形態２のペーパー収納具におけるペーパー保持体の第１の使用例を示す模式斜視図  （ｂ）実施の形態２のペーパー収納具におけるペーパー保持体の第２の使用例を示す模式斜視図
【図６】（ａ）実施の形態３のペーパー収納具の使用状態を示す模式斜視図  （ｂ）実施の形態３のペーパー収納具のケース本体の要部断面模式図
【図７】（ａ）実施の形態３のペーパー収納具においてペーパー繰り出し具の当接部をパーマネント用ペーパーの表面に押し付けた状態を示す模式斜視図  （ｂ）実施の形態３のペーパー収納具においてペーパー繰り出し具でパーマネント用ペーパーを繰り出した状態を示す模式斜視図
【考案を実施するための形態】
【００２８】
（実施の形態１）
本考案の実施の形態１におけるペーパー収納具について、以下図面を参照しながら説明する。
図１は実施の形態１のペーパー収納具の分解模式斜視図であり、図２は実施の形態１のペーパー収納具の組立状態を示す背面側模式斜視図である。
図１中、１は実施の形態１におけるペーパー収納具、２は紙や合成樹脂で箱形に形成されたペーパー収納具１のケース本体、２ａはケース本体２の正面上端側に形成されたペーパー取出口、３はケース本体２の表面部（正面）に突設された板状の２本の掛止部３ａを有するゴム保持部、５はケース本体２に着脱自在に収納されるペーパー保持体、６は紙や合成樹脂で平板状に形成されたペーパー保持体５のペーパー載置部、７はペーパー載置部６の下端側の両側部をレの字型に折り曲げてペーパー載置部６と一体に形成されたペーパー保持体５の２つのペーパー支持部、８はバネ性を有する金属製の棒材で形成されペーパー載置部６の下端部に配設されたペーパー保持体５のペーパー押さえ部、８ａはペーパー載置部６の背面（裏面）に固設されたペーパー押さえ部８の基部、８ｂは基部８ａからペーパー載置部６の表面側に延設されペーパー載置部６の表面に近づくように屈曲して形成されたペーパー押さえ部８の屈曲部、８ｃは屈曲部８ｂから延設されペーパー載置部６の表面と略平行に形成されたペーパー押さえ部８の当接部、８ｄは当接部８ｃから延設され先端側がペーパー載置部６から離れるように傾斜して形成されたペーパー押さえ部８の挿入部である。
図２中、２ｂはケース本体２の背面板、４はケース本体２の背面板２ｂに配設された係止部、６ａはペーパー載置部６の背面部に形成されてケース本体２の背面板２ｂの上縁に係合する突起部である。
【００２９】
以上のように構成された実施の形態１のペーパー収納具の使用方法について説明する。
図３は実施の形態１のペーパー収納具の使用状態を示す模式斜視図である。
図３中、１０はゴム保持部３の２本の掛止部３ａ，３ａに伸張した状態で掛け渡されて保持された輪ゴムなどのパーマネント用ゴム、２０はペーパー保持体５に保持されてケース本体２に収容された複数枚のパーマネント用ペーパーである。
パーマネント用ペーパー２０は、ペーパー保持体５のペーパー載置部６に載置されるが、ペーパー保持体５の下端側が、図１で示した傾斜状に形成されたペーパー支持部７で支持されると共に、ペーパー載置部６とペーパー押さえ部８によって挟持される。これにより、複数枚のパーマネント用ペーパー２０をペーパー保持体５に保持した状態で、ケース本体２に対して簡便に出し入れすることができる。
ケース本体２にペーパー保持体５を収容したときに、図２に示したように、ペーパー載置部６の背面部に形成された突起部６ａが、ケース本体２の背面板２ｂの上縁に係合することにより、ペーパー載置部６を位置決め固定することができる。このとき、図３に示したように、パーマネント用ペーパー２０の先端側をペーパー支持部７の形状に合わせケース本体２のペーパー取出口２ａよりやや斜め上方に突出させた状態で保持されるので、パーマネント用ペーパー２０の先端を摘み易く、容易に抜き取ることができる。尚、突起部６ａは、ペーパー載置部６の側部に形成し、ケース本体２の側板の上縁に係合させるようにしてもよい。
【００３０】
パーマネントウェーブの施術において、パーマネント用ペーパー２０と共に用いられるパーマネント用ゴム１０を保持するためのゴム保持部３をケース本体２に備えているので、施術の作業性に優れる。また、掛止部３ａが幅を有するので、パーマネント用ゴム１０が紐状にならず輪状なので取り易い。
尚、ゴム保持部３は、パーマネント用ゴム１０を引っ掛けるようにして保持できるものであればよく、掛止部３ａの形状、数、配置などは本実施の形態に限られるものではなく、適宜、選択することができる。
また、図２に示したように、ケース本体２の背面に係止部４が配設されているので、施術者のベルト、エプロン、ポケットなどに適宜、係止して簡便に装着することができ、使用性に優れる。
【００３１】
ペーパー載置部６は、使用するパーマネント用ペーパー２０と同程度の大きさに形成し、パーマネント用ペーパー２０のほぼ全面を支持できるようにして、パーマネント用ペーパー２０の湾曲や折れ曲がりを防止した。
尚、ペーパー載置部６の長手方向に複数の突起部６ａを形成した場合、使用するパーマネント用ペーパー２０の大きさ（長さ）に応じて突起部６ａを選択することにより、ペーパー取出口２ａからのペーパー載置部６の突出量を調整することができ、ペーパー載置部６より小さい（短い）パーマネント用ペーパー２０でも、確実に取り出すことができる。
本実施の形態では、図１に示したように、ペーパー載置部６の下端側をレの字型に折り曲げてペーパー支持部７を形成したが、ペーパー支持部７の形状はこれに限定されるものではなく、ペーパー載置部６に載置されたパーマネント用ペーパー２０の下端（下辺）を支持できるものであればよい。例えば、ペーパー載置部６の下端側をＬ字型やコの字型などに折り曲げてペーパー支持部７を形成してもよいし、ペーパー載置部６の表面に接着や溶着で別部材を取り付けて形成してもよい。
【００３２】
本実施の形態では、図１に示したように、ペーパー押さえ部８がペーパー載置部６の表面と略平行に形成された当接部８ｃを有するので、ペーパー載置部６と当接部８ｃの間でパーマネント用ペーパー２０を確実に挟持することができる。また、ペーパー押さえ部８が、当接部８ｃから延設され先端側がペーパー載置部６から離れるように傾斜して形成された挿入部８ｄを有するので、複数枚のパーマネント用ペーパー２０を重ねた状態で、ペーパー載置部６と挿入部８ｄの間から容易に挿通することができ、使用性に優れる。
尚、ペーパー押さえ部８の形状や材質は、本実施の形態に限定されるものではなく、金属製や合成樹脂製の板材で板バネ状に形成してもよい。また、ペーパー載置部６を合成樹脂で形成する場合は、ペーパー載置部６とペーパー押さえ部８を一体に形成してもよい。
また、本実施の形態では、ペーパー載置部６の幅方向の中央にペーパー押さえ部８を設け、その両側にペーパー支持部７を配置したが、ペーパー載置部６の幅方向の中央にペーパー支持部７を設け、その両側にペーパー押さえ部８を配置するようにしてもよい。
【００３３】
実施の形態１のペーパー収納具は、以下の作用を有する。
（１）ペーパー取出口を有するケース本体と、ケース本体に着脱自在に収納されるペーパー保持体を備えているので、ペーパー保持体に保持されたパーマネント用ペーパーをケース本体で保護して、破損や汚損の発生を防止することができ、パーマネント用ペーパーの取扱い性、保存性に優れる。
（２）パーマネント用ペーパーが載置されるペーパー載置部とペーパー載置部に形成又は配設されるペーパー支持部とペーパー載置部に形設されるペーパー押さえ部とを有するペーパー保持体が、ケース本体に着脱自在に収納されるので、ペーパー保持体にパーマネント用ペーパーが保持された状態でケース本体に着脱することができ、パーマネント用ペーパーの補充や交換作業が容易で取扱い性に優れる。
（３）ペーパー保持体が、パーマネント用ペーパーが載置されるペーパー載置部とペーパー載置部に形成又は配設されるペーパー支持部とペーパー載置部に形成又は配設されるペーパー押さえ部とを有するので、ペーパー保持体によってパーマネント用ペーパーを簡便かつ確実に保持することができ、ペーパー保持体をケース本体に着脱する際に、パーマネント用ペーパーが落下するおそれがなく、使用性に優れる。
（４）ペーパー載置部の背面部に形成された突起部がケース本体の背面板の上縁に係合することにより、ペーパー載置部を位置決め固定することができるので、収納するパーマネント用ペーパーの大きさ（長さ）に応じてペーパー保持体の位置を調整し、パーマネント用ペーパーの先端側をケース本体のペーパー取出口の位置に合わせることができ、パーマネント用ペーパーの大きさ（長さ）に関わらず、その先端を簡便かつ確実に摘んで取り出すことができ、汎用性、取扱い性に優れる。
（５）ペーパー保持体が、ペーパー載置部の背面部に形成されてケース本体の背面板の上縁に係合する突起部を有することにより、ペーパー載置部の上端側をケース本体のペーパー取出口から突出させた状態でペーパー保持体を固定して、パーマネント用ペーパーを容易に取り出すことができ、作業性に優れる。
（６）ペーパー載置部の背面部に形成された突起部をケース本体の背面板の上縁に係合させてペーパー保持体を位置決め固定できるので、ケース本体に、突起部と係合或いは嵌合させるための凹部や孔部を形成する必要がなく、加工を簡素化することができ、量産性に優れる。
（７）ペーパー保持体のペーパー押さえ部が、バネ性を有し、ペーパー載置部と共にパーマネント用ペーパーの下端側等を挟持するので、パーマネント用ペーパーを確実に保持することができ、パーマネント用ペーパーの保持の安定性、確実性に優れる。
（８）バネ性を有するペーパー押さえ部とペーパー載置部により、パーマネント用ペーパーの下端側を挟持することができるので、パーマネント用ペーパーの上端側を摘んでペーパー取出口から上方に引っ張った時に、パーマネント用ペーパーにダメージを与えることなく、容易に抜き取ることができ、パーマネント用ペーパーの破損が発生し難く、取扱い性に優れる。
（９）バネ性を有するペーパー押さえ部とペーパー載置部で、パーマネント用ペーパーの下端側が挟持されることにより、一枚目（一番上）のパーマネント用ペーパーを抜き取った時に、パーマネント用ペーパー同士の摩擦で二枚目のパーマネント用ペーパーが自動的にせり上がり、その上端側がペーパー取出口から突出するので、パーマネント用ペーパーを簡便かつ確実に一枚ずつ引き抜いて使用することができ、作業性に優れる。
【００３４】
（実施の形態２）
本考案の実施の形態２におけるペーパー収納具について、以下図面を参照しながら説明する。尚、実施の形態１と同様のものには、同じ符号を付して説明を省略する。
図４は実施の形態２のペーパー収納具におけるペーパー保持体の分解模式斜視図である。
図４中、５ａは実施の形態２のペーパー収納具におけるペーパー保持体、７Ａはペーパー載置部６と分離して形成されペーパー載置部６に高さ調整自在に保持されるペーパー支持部、７ａは筒状に形成されペーパー載置部６に摺動自在に外挿されるペーパー支持部７Ａの挿通部、７ｂは挿通部７ａの挿通孔、７ｃは挿通部７ａの下端側の両側部からそれぞれ延設して形成されたペーパー支持部７Ａの２つの支持片である。
【００３５】
以上のように構成された実施の形態２のペーパー収納具におけるペーパー保持体の使用方法について説明する。
図５（ａ）は実施の形態２のペーパー収納具におけるペーパー保持体の第１の使用例を示す模式斜視図であり、図５（ｂ）は実施の形態２のペーパー収納具におけるペーパー保持体の第２の使用例を示す模式斜視図である。
図５（ｂ）中、２０ａはペーパー載置部６よりも小さい（短い）パーマネント用ペーパーである。
図５において、ペーパー支持部７Ａの挿通部７ａに形成された挿通孔７ｂにペーパー載置部６を挿通することにより、ペーパー支持部７Ａがペーパー載置部６に高さ調整自在に保持される。
これにより、使用するパーマネント用ペーパー２０が大きい（長い）時には、図５（ａ）に示すように、ペーパー支持部７Ａをペーパー載置部６の下端側に配置して、パーマネント用ペーパー２０全体をペーパー載置部６で支持できる。そして、ペーパー載置部６よりも小さい（短い）パーマネント用ペーパー２０ａを使用する時には、図５（ｂ）に示すように、パーマネント用ペーパー２０ａの大きさ（長さ）に合わせてペーパー支持部７Ａをペーパー載置部６の上方に移動させ、パーマネント用ペーパー２０ａの上端位置がペーパー載置部６の上端位置と略一致するように調整することができ、ケース本体２のペーパー取出口２ａから容易に抜き取ることができる（図３参照）。
尚、ペーパー押さえ部８はペーパー支持部７Ａと共に摺動自在に装設してもよい。
【００３６】
実施の形態２のペーパー収納具は、実施の形態１の（１）乃至（３）、（７）乃至（９）と同様の作用に加え、以下の作用を有する。
（１）ペーパー保持体のペーパー支持部が、ペーパー載置部に高さ調整自在に保持されるので、収納するパーマネント用ペーパーの大きさ（長さ）に応じて、ペーパー支持部の位置のみを調整することにより、パーマネント用ペーパーの先端側をペーパー載置部の上端側へ移動させ、ケース本体のペーパー取出口の位置に対応させることができ、パーマネント用ペーパーの大きさ（長さ）に関わらず、その先端を簡便かつ確実に摘んで取り出すことができ、汎用性、取扱い性に優れる。
（２）ペーパー支持部が、ペーパー載置部に摺動自在に外挿される挿通部を備えることにより、ペーパー支持部とペーパー載置部の着脱作業が不要で、ペーパー支持部を摺動させるだけで、容易にパーマネント用ペーパーの位置調整を行うことができ、使用性に優れる。
【００３７】
（実施の形態３）
本考案の実施の形態３におけるペーパー収納具について、以下図面を参照しながら説明する。尚、実施の形態１又は２と同様のものには、同じ符号を付して説明を省略する。
図６（ａ）は実施の形態３のペーパー収納具の使用状態を示す模式斜視図であり、図６（ｂ）は実施の形態３のペーパー収納具のケース本体の要部断面模式図である。
図６（ａ）において、実施の形態３のペーパー収納具１ａが実施の形態１のペーパー収納具１と異なるのは、ケース本体２が回動自在な開閉部２ｃを有する点と、ペーパー保持体５を備えておらず、パーマネント用ペーパー２０が直接、ケース本体２の底面板（背面板）２ｂ上に載置されて収納されている点と、ケース本体２の一方の側面板２ｅの内側に配設されたペーパー繰り出し具９を備えている点である。
また、図６（ｂ）において、実施の形態３のペーパー収納具１ａが実施の形態１のペーパー収納具１と異なるのは、ケース本体２の開閉部２ｃの裏面側にペーパー押さえ部８が配設されている点である。
尚、図６（ａ）中、２ｄはケース本体２の両側部で開閉部２ｃを回動自在に保持する軸支部、９ａは可撓性及び柔軟性を有するシリコン製や塩化ビニル製のチューブで形成され一端がケース本体２の一方の側面板２ｅの内側面に固定されたペーパー繰り出し具９の可撓部、９ｂは可撓部９ａの先端部を傾斜状に切断して形成されたペーパー繰り出し具９のリング状の当接部である。
【００３８】
以上のように構成された実施の形態３のペーパー収納具１ａの使用方法について説明する。
図７（ａ）は実施の形態３のペーパー収納具においてペーパー繰り出し具の当接部をパーマネント用ペーパーの表面に押し付けた状態を示す模式斜視図であり、図７（ｂ）は実施の形態３のペーパー収納具においてペーパー繰り出し具でパーマネント用ペーパーを繰り出した状態を示す模式斜視図である。
実施の形態３のペーパー収納具１ａにおいて、パーマネント用ペーパー２０を取り出すには、まず、図７（ａ）に示すように、ペーパー繰り出し具９の当接部９ａがパーマネント用ペーパー２０の表面に当接するように、指などでペーパー繰り出し具９の可撓部９ａを下方（パーマネント用ペーパー２０側）に湾曲させる。
次に、図７（ｂ）に示すように、ペーパー繰り出し具９の当接部９ａをパーマネント用ペーパー２０の表面に押し付けた状態で、ペーパー取出口２ａ側に移動させる（可撓部９ａをペーパー取出口２ａ側に湾曲させる）ことにより、一枚目（一番上）のパーマネント用ペーパー２０をペーパー取出口２ａ側にスライドさせる。
最後に、ペーパー取出口２ａから突出したパーマネント用ペーパー２０の先端部を指で摘んで抜き取る。
ペーパー繰り出し具９の可撓部９ａは可撓性により元の位置に戻るので、上記動作を繰り返すことにより、次々にパーマネント用ペーパー２０を１枚ずつ繰り出して使用することができる。
【００３９】
本実施の形態では、ペーパー保持体５を備えていない代わりに、ケース本体２の内部（開閉部２ｃの裏面側）にペーパー押さえ部８を配設したが、開閉部２ｃを上方に回動させることにより、ペーパー押さえ部８も上方に移動するので、容易にパーマネント用ペーパー２０の補充を行うことができる。
尚、開閉部２ｃはこれに限定されるものではなく、ケース本体２に摺動自在に配設したものや、ケース本体２に着脱自在に覆設したもの等でもよい。
ペーパー繰り出し具９の可撓部９ａとしてシリコン製や塩化ビニル製のチューブを使用したが、これに限定されるものではなく、使用者が指などで押さえるなどして外力を加えた時だけ、湾曲するなどして変形し、外力を加えるのを止めた時に元の状態に戻る程度の可撓性を有するものであればよい。
【００４０】
また、可撓部９ａの先端部を傾斜状に切断して当接部９ｂを形成した。可撓部９ａを湾曲させて先端部をパーマネント用ペーパー２０の表面に当接させた時に、当接部９ｂの表面がパーマネント用ペーパー２０の表面と略平行になり、当接部９ｂの表面をパーマネント用ペーパー２０の表面に確実に接触させることができ、摩擦を大きくして、パーマネント用ペーパー２０の繰り出し動作を確実にするためである。
尚、当接部９ｂの形態はこれに限定されるものではなく、パーマネント用ペーパー２０の表面に当接した時にパーマネント用ペーパー２０同士の摩擦力より大きな摩擦力が発生するものであればよい。必要に応じて、可撓部９ａの先端部に合成ゴムなどを貼着したり、巻き付けたりして当接部９ｂを形成してもよい。
実施の形態３のペーパー収納具１ａは、実施の形態１及び２で説明したペーパー保持体５，５ａのいずれかと組み合わせて使用することもできるが、その場合は開閉部２ｃに配設するペーパー押さえ部８（図６（ｂ））は不要である。
【００４１】
実施の形態３のペーパー収納具は、以下の作用を有する。
（１）ペーパー取出口を有するケース本体と、ケース本体の内部に配設されケース本体に収納されるパーマネント用ペーパーの上面を押圧するペーパー押さえ部を有することにより、ペーパー押さえ部によってケース本体の内部にパーマネント用ペーパーを確実に保持することができるので、パーマネント用ペーパーの落下を防止することができ、使用性に優れる。
（２）可撓性を有しケース本体に配設される可撓部と、可撓部の先端部に形成又は配設されパーマネント用ペーパーの表面に当接した時にパーマネント用ペーパー同士の摩擦力より大きな摩擦力が発生する当接部と、を有するペーパー繰り出し具を備えているので、可撓部を指などで湾曲させるようにして、当接部をパーマネント用ペーパーの表面に押し付けながら、ペーパー取出口側に移動させることにより、一枚目（一番上）のパーマネント用ペーパーをペーパー取出口側にスライドさせることができ、ペーパー取出口から突出するパーマネント用ペーパーの先端部を確実に指で摘んで抜き取ることができ、作業効率性に優れる。
（３）ペーパー繰り出し具が可撓部を有することにより、一枚目（一番上）のパーマネント用ペーパーをペーパー取出口側にスライドさせて抜き取った後は、その可撓性により自動的に元の位置に復帰するので、繰り返し一枚目（一番上）のパーマネント用ペーパーをペーパー取出口側に繰り出すことができ、動作の確実性、取扱い性に優れる。
【産業上の利用可能性】
【００４２】
本考案は、簡素な構成で様々な大きさのパーマネント用ペーパーに対応することができ、量産性、汎用性に優れ、パーマネント用ペーパーの取り出しや補充が容易で、パーマネント用ペーパーの収納性、取扱い性に優れ、パーマネントウェーブの施術の作業性に優れたペーパー収納具の提供を行うことができ、パーマネントウェーブの施術の効率化を図り、施術者の負担を軽減することができる。
【符号の説明】
【００４３】
１，１ａ  ペーパー収納具
２  ケース本体
２ａ  ペーパー取出口
２ｂ  背面板（底面板）
２ｃ  開閉部
２ｄ  軸支部
３  ゴム保持部
３ａ  掛止部
４  係止部
５，５ａ  ペーパー保持体
６  ペーパー載置部
６ａ  突起部
７，７Ａ  ペーパー支持部
７ａ  挿通部
７ｂ  挿通孔
７ｃ  支持片
８  ペーパー押さえ部
８ａ  基部
８ｂ  屈曲部
８ｃ  当接部
８ｄ  挿入部
９  ペーパー繰り出し具
９ａ  可撓部
９ｂ  当接部
１０  パーマネント用ゴム
２０，２０ａ  パーマネント用ペーパー
【図１】
0003169686.tif 000003
【図２】
0003169686.tif 000004
【図３】
0003169686.tif 000005
【図４】
0003169686.tif 000006
【図５】
0003169686.tif 000007
【図６】
0003169686.tif 000008
【図７】
0003169686.tif 000009